(57)【要約】【課題】適正に発電を行うために微生物燃料電池の出力を所定の電圧に調整する微生物燃料システム、微生物燃料電池の蓄電方法および蓄電回路を提供することである。【解決手段】本発明にかかる微生物燃料システム１００は、微生物燃料電池２００のアノードおよびカソード間に設けられ、かつ微生物燃料電池２００の出力を所定の電圧に調整する定電圧回路３００を設けたものである。  さらに、微生物燃料電池２００からの電荷を蓄えるキャパシタ５００と、微生物燃料電池２００およびキャパシタ５００との間に逆流防止回路４００と、を設ける。【選択図】図１
2015210968.tif 000002
【特許請求の範囲】
【請求項１】
微生物燃料電池と、
前記微生物燃料電池のアノードおよびカソード間に設けられ、かつ前記微生物燃料電池の出力を所定の電圧に調整する定電圧部を設けた、微生物燃料システム。
【請求項２】
前記微生物燃料電池からの電荷を蓄えるキャパシタと、
前記微生物燃料電池および前記キャパシタとの間に逆流防止部と、を設けた、請求項１記載の微生物燃料システム。
【請求項３】
前記定電圧部は、整流素子を含む、請求項１または２記載の微生物燃料システム。
【請求項４】
前記定電圧部は、ショットキーバリアダイオードを１段または複数段配置した、請求項２または３記載の微生物燃料システム。
【請求項５】
前記逆流防止部は、ＰＮＰ型トランジスタ素子を含む、請求項２から４のいずれか１項に記載の微生物燃料システム。
【請求項６】
前記キャパシタと並列接続された負荷部をさらに含み、
前記負荷部は、昇圧部および通信部の少なくともいずれかを含む、請求項１から５のいずれか１項に記載の微生物燃料システム。
【請求項７】
微生物燃料電池のアノードおよびカソード間に設けられ、かつ前記微生物燃料電池の出力を所定の電圧に調整する定電圧工程を含む、微生物燃料電池の蓄電方法。
【請求項８】
前記微生物燃料電池からの電荷を蓄える蓄電工程と、
前記微生物燃料電池から前記蓄電工程への蓄電に対して逆流を防止する逆流防止工程と、を設けた、請求項７記載の微生物燃料電池の蓄電方法。
【請求項９】
１ボルト以下の環境下で用いられる蓄電回路であって、
整流素子により所定の電圧に調整する定電圧部を含む、蓄電回路。
【請求項１０】
蓄電部から蓄電用のキャパシタへ電荷が蓄えられる場合、ＰＮＰ型トランジスタを含む回路により逆流防止部を形成する、請求項９記載の蓄電回路。
【発明の詳細な説明】
【技術分野】
【０００１】
本発明は、微生物燃料システム、微生物燃料電池の蓄電方法および蓄電回路に関する。
【０００２】
近年、微生物燃料電池の開発が進められている。例えば、非特許文献１には、微生物燃料電池の挙動に応じて大きな負荷抵抗を用いたり、微生物燃料電池の挙動に応じて小さな負荷抵抗を用いたりすることで、微生物燃料電池の発電量を適切にすることについて開示されている。
【先行技術文献】
【非特許文献】
【０００３】
【非特許文献１】Morio Miyahara, Kazuhito Hashimoto, and Kazuya Watanabe  Use of cassette-electrode microbial fuel cell for wastewater treatment（日刊バイオインダストリー  ２０１３年４月号掲載）
【発明の概要】
【発明が解決しようとする課題】
【０００４】
具体的に、非特許文献１の図２（Ａ）に示すように、抵抗値１０Ｋオーム、抵抗値１Ｋオーム、抵抗値１００オーム、抵抗値２０オームおよび抵抗値１０オームの各抵抗を微生物燃料電池の挙動に応じてそれぞれ取り替えている。
【０００５】
このように、非特許文献１では、微生物燃料電池の電圧を常にモニタリングして微生物燃料電池の状態を監視する必要がある。そして、所定の電流値になった場合に、人の手で抵抗値を変化させる必要がある。
【０００６】
また、抵抗値の変化時期を超過または未到達時に抵抗値を変化させた場合、微生物燃料電池を構成する発電菌（微生物）の成長を損なうばかりか、微生物燃料電池としての機能を果たさないものとなるという問題点がある。
すなわち、微生物燃料電池として機能させる場合に、電池としての機能を果たすのに時間がかかったり、機能させるまで手間がかかり、実用的でなくなる。
【０００７】
本発明の目的は、適正に発電を行うために微生物燃料電池の出力を所定の電圧に調整する微生物燃料システム、微生物燃料電池の蓄電方法および蓄電回路を提供することである。
【課題を解決するための手段】
【０００８】
（１）
一の局面に従う微生物燃料システムは、微生物燃料電池と、微生物燃料電池のアノードおよびカソード間に設けられ、かつ微生物燃料電池の出力を所定の電圧に調整する定電圧部とを設けたものである。
【０００９】
この場合、定電圧部により微生物燃料電池の出力を所定の電圧に調整することができる。その結果、微生物の電子の受け渡しを常に最適な状態にすることができ、微生物燃料電池における微生物の生育状態を良好に維持することができる。特に、微生物の生育については、電圧を一定にすることが好ましい。したがって、定電圧部により微生物燃料電池は、効率よく発電することができる。
ここで、所定の電圧とは、０ボルト以上１ボルト以下の範囲であり、特に０．５ボルト以上０．７ボルト以下の範囲であり、０．６ボルト近辺である。
【００１０】
（２）
第２の発明にかかる微生物燃料システムは、一局面に従う微生物燃料システムにおいて、微生物燃料電池からの電荷を蓄えるキャパシタと、微生物燃料電池およびキャパシタとの間に逆流防止部と、を設けてもよい。
【００１１】
この場合、微生物燃料電池とキャパシタとの間に、逆流防止部が設けられるので、キャパシタに蓄えられた電流が微生物燃料電池へ逆流することを防止できる。その結果、微生物により発電された電荷を無駄に放出してしまうことを防止することができる。
【００１２】
（３）
第３の発明にかかる微生物燃料システムは、一局面または第２の発明にかかる微生物燃料システムにおいて、定電圧部は、整流素子を含んでもよい。
【００１３】
この場合、微生物燃料システムの定電圧部は、整流素子を含むので、素子自体の特性を利用して定電圧に設定することができる。すなわち、順方向電圧特性を利用することで定電圧を実現することができる。
ここで、整流素子とは、ダイオード、およびショットキーバリアダイオードのいずれかまたは両方を複合して用いてもよい。
【００１４】
（４）
第４の発明にかかる微生物燃料システムは、第２または第３の発明にかかる微生物燃料システムにおいて、定電圧部は、ショットキーバリアダイオードを１段または複数段配置してもよい。
【００１５】
この場合、ショットキーバリアダイオードを１段または複数段配置することにより、所定の電圧を調整することができる。例えば、ショットキーバリアダイオードを１段配置することで、０．３ボルトを実現できる。また、２段配置することで、０．６ボルトを実現でき、３段配置することで、０．９ボルトを実現することができる。
微生物燃料システムにおいては、特に２段配置の０．６ボルトであることが好ましい。
【００１６】
（５）
第５の発明にかかる微生物燃料システムは、第２から第４の発明にかかる微生物燃料システムにおいて、逆流防止部は、ＰＮＰ型トランジスタ素子を含んでもよい。
【００１７】
この場合、逆流防止部がＰＮＰ型トランジスタ素子を含むので、ベース電圧の特性により０．６ボルトまで電流の逆流を防止できる。その結果、微生物燃料電池側に電流が流れるのを防止することができる。
また、一般的には、ダイオードによる逆流防止部の形成が考えられるが、微生物燃料電池からの発電量が０．６ボルトであるため、ダイオードにより電圧降下が５０％以上発生することとなり、好ましくない。
したがって、ＰＮＰ型トランジスタ素子を用いることで、キャパシタに蓄積される０．６ボルトの電圧の逆流を適切に防止することができる。
【００１８】
（６）
第６の発明にかかる微生物燃料システムは、第１から第５の発明にかかる微生物燃料システムにおいて、キャパシタと並列接続された負荷部をさらに含み、負荷部は、昇圧部および通信部の少なくともいずれかを含んでもよい。
【００１９】
この場合、負荷部は、昇圧部および通信部の少なくともいずれかを含むので、微生物燃料電池による電力を昇圧部により昇圧させることができる。また、微生物燃料電池による電力を通信部の通信に用いることができる。
【００２０】
（７）
他の局面に従う微生物燃料電池の蓄電方法は、微生物燃料電池のアノードおよびカソード間に設けられ、かつ微生物燃料電池の出力を所定の電圧に調整する定電圧工程を含んでもよい。
【００２１】
この場合、定電圧工程により微生物燃料電池の出力を所定の電圧に調整することができる。その結果、微生物燃料電池における微生物の生育状態を良好に維持することができる。したがって、効率よく発電量を高めることができる。
ここで、所定の電圧とは、０ボルト以上１ボルト以下の範囲であり、特に０．５ボルト以上０．７ボルト以下の範囲であり、０．６ボルト近辺である。
【００２２】
（８）
第８の発明にかかる微生物燃料電池の蓄電方法は、他の局面に従う微生物燃料電池の蓄電方法において、微生物燃料電池からの電荷を蓄える蓄電工程と、微生物燃料電池から蓄電工程への蓄電に対して逆流を防止する逆流防止工程と、を設けてもよい。
【００２３】
この場合、逆流防止工程によりキャパシタに蓄えられた電流が微生物燃料電池へ逆流することを防止できる。その結果、微生物により発電された電荷を無駄に放出してしまうことを防止することができる。
【００２４】
（９）
さらに他の局面に従う蓄電回路は、１ボルト以下の環境下で用いられる蓄電回路であって、整流素子により所定の電圧に調整する定電圧部を含むものである。
【００２５】
この場合、１ボルト以下の環境下であるため、定電圧部の整流素子により所定の電圧に調整することができる。また、所定の電圧とは、０ボルト以上１ボルト以下の範囲であり、特に０．５ボルト以上０．７ボルト以下の範囲であり、０．６ボルト近辺である。
【００２６】
整流素子が蓄電のためのキャパシタと並列に接続され、整流素子のアノードがプラス側に接続され、整流素子のカソード側がマイナス側に接続される。また、整流素子が、ショットキーバリアダイオードの場合には、直列の多段接続構成となる。
【００２７】
（１０）
第１０の発明にかかる蓄電回路は、さらに他の局面に従う蓄電回路において、蓄電部から蓄電用のキャパシタへ電荷が蓄えられる場合、ＰＮＰ型トランジスタを含む回路により逆流防止部を形成してもよい。
【００２８】
この場合、逆流防止部がＰＮＰ型トランジスタ素子を含むので、ベース電圧により０．６ボルトの電流の逆流を防止できる。その結果、発電側に電流が逆流するのを防止できる。
特に、微弱な電力を蓄電する場合、一般的なダイオードによる逆流防止回路では、電圧降下により蓄電される電力の損失割合が高くなるという問題が生じる。
したがって、ＰＮＰ型トランジスタ素子により逆流防止を行うとともに、蓄積される電力損失を減少させて効率よく蓄電できる。
【００２９】
特に、ＰＮＰ型トランジスタ素子のエミッタ端子が発電部側のカソードに接続され、ベース端子が発電部側のアノードに接続され、コレクタ端子がキャパシタのプラス側に接続される。また、エミッターベース間に抵抗素子を設けてもよい。
【図面の簡単な説明】
【００３０】
【図１】本実施の形態にかかる微生物燃料システムの一例を示す模式図である。
【図２】定電圧回路の一例を示す模式図である。
【図３】逆流防止回路の一例を示す模式図である。
【図４】微生物燃料システムの結果の一例を示す模式図である。
【図５】微生物燃料システムの結果の一例を示す模式図である。
【図６】従来の微生物燃料システムの結果の一例を示す模式図である。
【図７】従来の微生物燃料システムの結果の一例を示す模式図である。
【図８】従来の微生物燃料システムの結果の一例を示す模式図である。
【発明を実施するための形態】
【００３１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３２】
＜微生物燃料システム＞
図１は、本実施の形態にかかる微生物燃料システム１００の一例を示す模式図である。
【００３３】
図１に示すように、微生物燃料システム１００は、微生物燃料電池２００、定電圧回路３００、逆流防止回路４００、キャパシタ５００、および負荷６００を含む。
【００３４】
図１に示すように、後述する微生物燃料電池２００のアノード（負電極）およびカソード（正電極）の間に定電圧回路３００が設けられる。
また、定電圧回路３００に対して並列にキャパシタ５００が設けられる。
逆流防止回路４００は、微生物燃料電池２００とキャパシタ５００との間に設けられる。
【００３５】
また、負荷６００は、逆流防止回路４００よりもキャパシタ５００側で、キャパシタ５００と並列に設けられる。
【００３６】
＜微生物燃料電池２００＞
次に、微生物燃料電池２００の一例について説明する。微生物燃料電池２００は、アノード（負電極）と、カソード（正電極）と、アノードとカソードとの間に挟み込まれたイオン透過性膜を有しており、微生物の働きにより有機性物質を含む液から直接的に電気エネルギーを回収することが可能なものである。
以下、微生物燃料電池２００の概略について、アノード、カソード、イオン透過性膜、および微生物の概略について説明する。
【００３７】
＜アノード（負電極）＞
アノード（負電極）は、微生物を担持可能であるとともに、有機性物質を含む液を通過させることが可能な材質からなる。また、アノード（負電極）は、作用極である。アノード（負電極）には、微生物が担持されてもよく、担持されていなくてもよい。
【００３８】
また、アノード（負電極）に微生物が担持されていない場合、膜・電極接合構造体の使用前または使用時に、アノード（負電極）に微生物が担持される。アノード（負電極）に微生物が付着していることで、微生物により有機性物質から水素イオン（Ｈ＋）及び電子（ｅ−）が生成可能になる。また、必要に応じて、アノード（負電極）にメディエータ（電子伝達体）が担持されていてもよく、微生物にメディエータ（電子伝達体）を加えてもよい。
【００３９】
また、アノード（負電極）は、孔を有することが好ましく、多孔質であることが好ましい。アノード（負電極）の材料は、微生物を担持可能で導電性材料であれば特に限定されない。導電性材料としては、炭素繊維、またはチタンなどの各種の導電性金属が挙げられる。アノード（負電極）の形態としては、網状体、織布、不織布、クロスおよびフェルト等が挙げられる。アノード（負電極）は、比表面積を高めるために表面処理されていてもよい。
【００４０】
＜カソード（正電極）＞
また、カソード（正電極）は、対極であり、空気と接触可能である。
カソード（正電極）の材料は導電性材料であれば特に限定されない。正電極（カソード）の材料としては、アノード（負電極）の材料として挙げた材料と同じ材料が挙げられる。カソード（正電極）の形態としては、アノード（負電極）の形態として挙げた形態が挙げられる。カソード（正電極）は、白金等の触媒が塗布されていてもよい。
【００４１】
＜イオン透過性膜＞
イオン透過性膜は、アノード（負電極）から発生した水素イオン（Ｈ＋）を透過可能であり、電解質膜であることが好ましい。上記イオン透過性膜は、空気を透過しないことが好ましい。
この場合には、カソード（正電極）側からイオン透過性膜を介してアノード（負電極）に空気が至らず、アノード（負電極）と空気との接触が抑えられる。上記イオン透過性膜の材料は特に限定されないが、スルホン酸基を有するフッ素樹脂系イオン交換膜（陽イオン交換膜）が好ましく用いられる。これ以外のイオン透過性膜を用いてもよい。
また、より安価なイオン透過性膜として主鎖部のみをフッ素化したフッ素樹脂系イオン交換膜、または、芳香族炭化水素系膜も利用できる。有機性物質とカソード（正電極）とを陽イオン交換膜で隔離した場合には、アノード（負電極）での反応で発生した水素イオンが、陽イオン交換膜を介してカソード（正電極）に効果的に供給されて、カソード（正電極）での酸素の還元に効果的に用いられる。
【００４２】
＜微生物＞
本実施の形態にかかる微生物としては、嫌気性微生物および好気性微生物が挙げられるが、嫌気性微生物であることが好ましい。嫌気性微生物は、嫌気性下で生育可能である。微生物としては、微生物の細胞膜内で電子伝達系を終結しない微生物が望ましく、細胞膜外で電子をアノード（負電極）で捕捉しやすく、アノード（負電極）への電子伝達を触媒する微生物を利用することがより望ましい。上記微生物として、硫黄Ｓ（０）還元菌、三価鉄Ｆｅ（ＩＩＩ）還元菌、二酸化マンガンＭｎＯ２還元菌、脱塩素菌などが好ましく用いられる。
【００４３】
また、微生物燃料電池の使用開始時には微生物反応室内にこれらの微生物の増殖に適当な培地を供給することが望ましい。さらに、アノード（負電極）の電位を高く維持することにより、アノード（負電極）でのこれらの微生物の増殖を促すことがより望ましい。これらの微生物（群）を前培養もしくは微生物反応室内で培養するための方法として、スラリー状の硫黄、三価鉄、二酸化マンガンなどを電子受容体とする培地などが挙げられる。
【００４４】
＜定電圧回路＞
続いて、定電圧回路３００について説明する。図２は、定電圧回路３００の一例を示す模式図である。
【００４５】
図２に示す定電圧回路３００は、抵抗３１０、およびショットキーバリアダイオード３２０を含む。本実施の形態において、抵抗３１０は、なくてもよいが、図２に示す回路では、微生物燃料電池により発電された電流を検出するために構成され、例えば、０．３３オーム（Ω）である。流れる電流に対して数ｍＶ程度の電圧降下になるような抵抗値を選べばよく、発電量によってたとえば、０．１オーム（Ω）でもよい。
定電圧回路３００は、抵抗３１０およびショットキーバリアダイオード３２０が直列接続されて形成される。
【００４６】
ショットキーバリアダイオード３２０は、１段、２段または３段（多段）で構成することができるように形成されている。図２においては、直列２段で構成した場合について示している。
【００４７】
図２に示すように、抵抗３１０の一端側が微生物燃料電池２００のカソード側に接続され、抵抗の他端側が一のショットキーバリアダイオード３２０のアノード側に接続される。一のショットキーバリアダイオード３２０のカソード側が他のショットキーバリアダイオード３２０のアノード側に接続される。他のショットキーバリアダイオード３２０のカソード側が微生物燃料電池２００のアノード側に接続される。
【００４８】
なお、図２においては、ショットキーバリアダイオード３２０について説明したが、ショットキーバリアダイオード３２０の２段構成は、一般的な０．６ボルトの電圧降下を有するダイオード１段構成に置きかえてもよい。しかし、逆回復時間が短く、高周波の整流に適していることがより好ましい。
【００４９】
＜逆流防止回路＞
図３は、逆流防止回路４００の一例を示す模式図である。
【００５０】
逆流防止回路４００は、ＰＮＰ型トランジスタ素子４１０、および抵抗４２０を含む。本実施の形態において、抵抗値４２０は、たとえば１００００オーム（Ω）である。この抵抗値は、使用するＰＮＰ型トランジスタの特性により、設定する必要があるが、今回の構成では１００００オーム（Ω）とし、トランジスタのエミッターコレクタ間の電圧降下が０．１Ｖ以下程度になるように構成した。
【００５１】
ＰＮＰ型トランジスタ素子４１０のエミッタ端子が微生物燃料電池２００のカソード側に接続され、ベース端子が微生物燃料電池２００のアノード側に接続され、コレクタ端子がキャパシタ５００側に接続される。
【００５２】
＜負荷＞
図１に示した負荷６００は、昇圧回路および／または通信回路および／または制御回路を含む。昇圧回路の場合には、キャパシタ５００に蓄電された電力を昇圧することができる。
また、通信回路または制御回路を含む場合には、昇圧された電源により他の機器と通信することができ、制御回路を含む場合には、たとえばセンサーによる処理水の状態を検出および分析し、通信回路を制御して外部に発信することができる。
なお、昇圧回路としては、トランスを用いたＤＣ／ＤＣコンバータが一般的であるが、キャパシタを直列にスイッチングして昇圧するチャージポンプ方式を用いてもよい。また、通信回路としては、低消費電力の特定小電力無線局方式またはセンターネットワーク用として広く用いられているシグビー（ＺｉｇＢｅｅ）近距離無線通信規格等を用いてもよい。
【００５３】
＜比較結果＞
図４および図５は、微生物燃料システム１００の結果の一例を示す模式図であり、図６、図７および図８は、従来の微生物燃料システム９００の結果の一例を示す模式図である。
【００５４】
図４の縦軸は電圧変化を示し、図５の縦軸は電流変化を示す。また、図６の縦軸は抵抗値変化を示し、図７の縦軸は電圧変化を示し、図８の縦軸は電流変化を示す。
なお、図４から図８の横軸は全て時間経過（ｄａｙ）を示す。
【００５５】
まず、図７に示すように、電圧値をモニターし、電圧変化が０．０５ボルトから０．６ボルトまで到達した場合、手動により図６に示すように、抵抗値を１００００オーム（Ω）から１００オーム（Ω）まで低く変化させる。その結果、図８に示すように、電流値を上昇させることができる。
【００５６】
続いて、図７に示すように、電圧変化が０．２ボルトから０．６ボルトまで到達した場合、手動により図６に示すように、抵抗値を１００オーム（Ω）から１０オーム（Ω）まで低く変化させる。その結果、図８に示すように、電流値が上昇する。
【００５７】
この作業を繰り返し、微生物の成長ごとに抵抗値を１０オーム（Ω）まで変化させて微生物の電子の受け渡しを促進させて、微生物の増加を制御することができる。
すなわち、微生物燃料電池２００の性能は初期段階におけるバイオフィルムの菌の構成で大きく左右される。抵抗値を変化させて電圧を一定にし、適正に電流を引き出すことで、発電菌（微生物）を適切に育成することができる。
【００５８】
一方、本実施の形態においては、図４に示すように、電圧を０．４ボルトから０．６ボルトまで変化させることができ、抵抗値を取り替える必要性がない。
また、図４および図５に示すように、電圧が比較的一定でも、電流変化が０ミリアンペアから６０ミリアンペアまで変化している。電流値は、６０ミリアンペアまでに制限されるものではなく、１００ミリアンペアでも２００ミリアンペアでも電圧値としては０．６Ｖ程度であり０．７Ｖ以下程度に保つことが可能である。  電流値は、微生物燃料電池の電極面積及び処理水の体積容量により異なるが、一般的に処理水の容量が大きく電極面積が大きいと発電電力が大きい、すなわち電流が多くなる。
【００５９】
また、図６から図８に示すように抵抗値を取り替える場合と異なり、本実施の形態にかかる図４および図５に示す場合においては、電圧０．６ボルトおよび電流６０ｍＡに安定する時間がおよそ２日前後早期に安定させることができる。
本実施の形態においては、切り換えタイミングの誤差が生じないため、微生物が適切に育成できる。したがって、早期に発電量を安定させることができると推測される。
【００６０】
また、図２においては、キャパシタ５００に０．６ボルト（Ｖ）の電圧を与える場合について説明したが、これに限定されず、０．３ボルト（Ｖ）の場合には、ショットキーバリアダイオード３２０を１段配置にし、０．９ボルト（Ｖ）の場合には、ショットキーバリアダイオード３２０を図２のα部に取付けてもよい。
【００６１】
以上のように、本実施の形態において、微生物燃料システム１００では、従来のように、微生物の発電量が安定するまでに数回から十回程度の切り替えを必要とすることなく、電流の変化に関係なく常に電圧を一定にすることができ、微生物の電子の受け渡しを常に最適な状態にし、微生物燃料電池２００の発電量を安定させることができる。
【００６２】
すなわち、従来の数回から十回程度の切り替えタイミングを失念した場合の微生物の成長を阻害するおそれを完全に排除することができる。
【００６３】
また、キャパシタ５００に蓄えられた電流が微生物燃料電池２００へ逆流することを防止できるので、微生物に与える悪影響を防止することができる。さらに、ショットキーバリアダイオード３２０の順方向電圧特性を利用する素子自体の特性を利用して容易に定電圧に設定することができる。また、ショットキーバリアダイオード３２０を複数段配置できるので、容易に電圧を変化させることもできる。
【００６４】
さらに、本実施の形態においては、ＰＮＰ型トランジスタ素子４１０を用いることで、キャパシタ５００に蓄積される０．６ボルトの電圧の逆流を適切に防止することができる。
【００６５】
本発明においては、微生物燃料電池２００が『微生物燃料電池』に相当し、０Ｖ以上１Ｖ以下、好ましくは０．３Ｖ以上０．９Ｖ以下が『所定の電圧』に相当し、定電圧回路３００が『定電圧部、整流素子、ショットキーバリアダイオード、定電圧工程』に相当し、微生物燃料システム１００が『微生物燃料システム、微生物燃料電池の蓄電方法』に相当し、キャパシタ５００が『キャパシタ、蓄電工程』に相当し、逆流防止回路４００が『逆流防止部、ＰＮＰ型トランジスタ素子、逆流防止工程』に相当し、負荷６００が『負荷部、昇圧部および通信部の少なくともいずれか』に相当し、ショットキーバリアダイオード３２０および／またはＰＮＰ型トランジスタ素子４１０が『蓄電回路』に相当し、ショットキーバリアダイオード３２０が『定電圧部』に相当し、ＰＮＰ型トランジスタ素子４１０が『逆流防止部』に相当する。
【００６６】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００６７】
１００  微生物燃料システム
２００  微生物燃料電池
３００  定電圧回路
３２０  ショットキーバリアダイオード
４００  逆流防止回路
４１０  ＰＮＰ型トランジスタ素子
５００  キャパシタ
６００  負荷
【図１】
2015210968.tif 000003
【図２】
2015210968.tif 000004
【図３】
2015210968.tif 000005
【図４】
2015210968.tif 000006
【図５】
2015210968.tif 000007
【図６】
2015210968.tif 000008
【図７】
2015210968.tif 000009
【図８】
2015210968.tif 000010